(57)【要約】【課題】  基地局装置からの信号の強度を測定する際の消費電力を低減する。【解決手段】  受付部２６は、処理部２４からページング信号を受けつける。記憶部３２は、通信部２２における切りかえ前の基地局装置を識別するための情報と切りかえ後の基地局装置を識別するための情報を対応づけながら、それらの組み合わせを記憶する。選択部３４は、端末装置が現在接続している基地局装置を識別するための情報を切りかえ前の基地局装置を識別するための情報に対応させることによって、記憶部３２に記憶された組み合わせの中から、通信部２２が現在接続している基地局装置を識別するための情報に対応すべき切りかえ後の基地局装置を識別するための情報を選択し、相関部４６に出力する。測定部２８は、相関部４６からの相関値の強度を計算する。【選択図】  図２
2006115049.tif 000002
【特許請求の範囲】
【請求項１】
接続対象の基地局装置を切りかえながら、少なくともひとつの基地局装置に接続する通信部と、
前記通信部における切りかえ前の基地局装置を識別するための情報と切りかえ後の基地局装置を識別するための情報を対応づけながら、それらの組み合わせを記憶する記憶部と、
前記通信部が現在接続している基地局装置を識別するための情報を切りかえ前の基地局装置を識別するための情報に対応させることによって、前記記憶部に記憶された組み合わせの中から、前記通信部が現在接続している基地局装置を識別するための情報に対応すべき切りかえ後の基地局装置を識別するための情報を選択する第１選択部と、
前記通信部を介して、現在接続している基地局装置から、切りかえの候補となる基地局装置に関する情報を受けつける受付部と、
前記受付部において受けつけた情報の中から、前記第１選択部において選択した切りかえ後の基地局装置を識別するための情報に対応する情報を選択する第２選択部と、
前記第２選択部において選択した情報を使用しつつ、前記第２選択部において選択した情報に対応した基地局装置から、前記通信部によって受信される信号の強度を測定する測定部と、
を備えることを特徴とする信号強度測定装置。
【請求項２】
前記通信部は、基地局装置から、所定の拡散符号によって拡散された信号を受信し、
前記受付部において受けつけた情報は、切りかえの候補となる基地局装置における拡散符号に関する情報を含み、
前記測定部は、前記第２選択部において選択した拡散符号を使用することによって、前記通信部によって受信される信号の強度を測定することを特徴とする請求項１に記載の信号強度測定装置。
【請求項３】
前記測定部において測定された信号の強度にしたがって、前記通信部が接続対象の基地局装置を切りかえる場合に、切りかえ前の基地局装置を識別するための情報と切りかえ後の基地局装置を識別するための情報の組み合わせを前記記憶部に記憶させる制御部をさらに備えることを特徴とする請求項１または２に記載の信号強度測定装置。
【請求項４】
前記制御部は、前記記憶部に記憶された組み合わせにおいて、切りかえ前のひとつの基地局装置を識別するための情報に対して切りかえ後の複数の基地局装置を識別するための情報が存在する場合に、切りかえられる頻度に応じて組み合わせに順番を付け、
前記測定部は、前記制御部によって付けられた順番にしたがって、前記通信部によって受信される信号の強度を測定することを特徴とする請求項３に記載の信号強度測定装置。
【請求項５】
前記制御部は、限定された所定の期間において、前記記憶部に組み合わせを記憶させることを特徴とする請求項３に記載の信号強度測定装置。
【請求項６】
前記制御部において、所定の期間として、記憶の開始の時刻と記憶の終了の時刻とを予め規定しており、
前記制御部は、記憶の開始の時刻になれば、記憶を開始させ、記憶の終了の時刻になれば、記憶を終了させることを特徴とする請求項５に記載の信号強度測定装置。
【請求項７】
前記制御部において、所定の期間として、記憶を開始すべき基地局装置を識別するための第１の情報と、記憶を終了すべき基地局装置を識別するための第２の情報とを予め規定しており、
前記制御部は、前記通信部によって切りかえられる基地局装置が第１の情報に対応する場合に、記憶を開始させ、前記通信部によって切りかえられる基地局装置が第２の情報に対応する場合に、記憶を終了させることを特徴とする請求項５に記載の信号強度測定装置。
【請求項８】
接続対象の基地局装置を切りかえながら、少なくともひとつの基地局装置に接続する通信部と、
前記通信部を介して、現在接続している基地局装置から、切りかえの候補となる基地局装置に関する情報を受けつける受付部と、
前記受付部において受けつけた情報を記憶する記憶部と、
切りかえの候補となる基地局装置に関する情報にもとづいて、切りかえの候補となる基地局装置から、前記通信部によって受信される信号の強度を測定する測定部とを備え、
前記受付部と前記記憶部は、限定された所定の期間において、動作し、
前記受付部は、前記所定の期間以外の期間において、前記記憶部に記憶された情報が現在接続している基地局装置に対応していれば、動作せず、前記記憶部に記憶された情報が現在接続している基地局装置に対応していなければ、動作することによって受けつけた情報を前記測定部に出力し、
前記記憶部は、前記所定の期間以外の期間において、記憶した情報が現在接続している基地局装置に対応していれば、当該情報を前記測定部に出力することを特徴とする信号強度測定装置。
【請求項９】
前記受付部と前記記憶部において、所定の期間として、記憶の開始の時刻と記憶の終了の時刻とを予め規定しており、
前記受付部と前記記憶部は、記憶の開始の時刻から、記憶の終了の時刻までを前記所定の期間として動作することを特徴とする請求項８に記載の信号強度測定装置。
【請求項１０】
前記受付部と前記記憶部において、所定の期間として、記憶を開始すべき基地局装置を識別するための第１の情報と、記憶を終了すべき基地局装置を識別するための第２の情報とを予め規定しており、
前記受付部と前記記憶部は、前記通信部によって切りかえられる基地局装置が第１の情報に対応する場合から、前記通信部によって切りかえられる基地局装置が第２の情報に対応する場合までを前記所定の期間として動作することを特徴とする請求項８に記載の信号強度測定装置。
【請求項１１】
切りかえ前の基地局装置を識別するための情報と切りかえ後の基地局装置を識別するための情報を対応づけながら、それらの組み合わせを予め記憶しており、
現在接続している基地局装置から、切りかえの候補となる基地局装置に関する情報を受けつけると、現在接続している基地局装置を識別するための情報を切りかえ前の基地局装置を識別するための情報に対応させることによって、組み合わせの中から、現在接続している基地局装置に対応すべき切りかえ後の基地局装置を識別するための情報を選択し、
受けつけた情報の中から、選択した切りかえ後の基地局装置を識別するための情報に対応する情報を選択し、選択した情報を使用しつつ、選択した情報に対応した基地局装置から受信される信号の強度を測定することを特徴とする信号強度測定方法。
【請求項１２】
限定された所定の期間において、現在接続している基地局装置から、切りかえの候補となる基地局装置に関する情報を受けつけ、受けつけた情報をメモリに記憶しつつ、受けつけた情報にもとづいて、切りかえの候補となる基地局装置から受信される信号の強度を測定し、
前記所定の期間以外の期間において、メモリに記憶した情報が現在接続している基地局装置に対応していれば、当該情報にもとづいて、切りかえの候補となる基地局装置から受信される信号の強度を測定し、
前記所定の期間以外の期間において、メモリに記憶した情報が現在接続している基地局装置に対応していなければ、現在接続している基地局装置から、切りかえの候補となる基地局装置に関する情報を受けつけ、受けつけた情報にもとづいて、切りかえの候補となる基地局装置から受信される信号の強度を測定することを特徴とする信号強度測定方法。
【発明の詳細な説明】
【技術分野】
【０００１】
本発明は、信号強度測定技術に関し、特に複数の基地局装置から受信される信号の強度を測定する信号強度測定方法および装置に関する。
【背景技術】
【０００２】
移動通信システムは、一般的に、基地局装置と端末装置によって構成される。また、基地局装置が複数設けられ、それぞれの基地局装置がサービスエリアとなるセルを形成する。端末装置は、移動しながら複数のセルのうちのいずれかを選択し、選択したセルを形成する基地局装置に接続される。第３世代の携帯電話システムに適用されるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式においても、以上のような動作がなされる。端末装置は、ひとつのセルに存在しているとき、接続している基地局装置から周辺のセルに関する情報を受信する。さらに端末装置は、受信した情報にもとづいて、周辺のセルを形成する基地局装置からの信号の強度を測定し、次に接続すべき基地局装置を決定する（例えば、非特許文献１参照。）。
【非特許文献１】立川敬二監修，「Ｗ−ＣＤＭＡ移動通信方式」，丸善株式会社，２００２年９月，ｐ．４４−４５
【発明の開示】
【発明が解決しようとする課題】
【０００３】
端末装置は、一般的にバッテリー駆動であるので、駆動時間を長くするために、端末装置の低消費電力化が重要になる。そのため、通信を実行しない待ち受けの際に、端末装置は、低消費電力モードになる。低消費電力モードにおいて、端末装置は、通信のために必要な回路の動作を停止させることによって、消費電力を低減する。しかしながら、低消費電力モードにおいても、端末装置では、通信が開始される場合に備えて、定期的に、周辺のセルを形成する基地局装置からの信号の強度を測定する。その場合、周辺のセルの数が多ければ、信号の強度を測定すべき基地局装置の数も多くなるので、消費電力が増大してしまう。
【０００４】
本発明はこうした状況に鑑みてなされたものであり、その目的は、基地局装置から受信された信号の強度を測定する際の消費電力を低減する信号強度測定方法および装置を提供することにある。
【課題を解決するための手段】
【０００５】
上記課題を解決するために、本発明のある態様の信号強度測定装置は、接続対象の基地局装置を切りかえながら、少なくともひとつの基地局装置に接続する通信部と、通信部における切りかえ前の基地局装置を識別するための情報と切りかえ後の基地局装置を識別するための情報を対応づけながら、それらの組み合わせを記憶する記憶部と、通信部が現在接続している基地局装置を識別するための情報を切りかえ前の基地局装置を識別するための情報に対応させることによって、記憶部に記憶された組み合わせの中から、通信部が現在接続している基地局装置を識別するための情報に対応すべき切りかえ後の基地局装置を識別するための情報を選択する第１選択部と、通信部を介して、現在接続している基地局装置から、切りかえの候補となる基地局装置に関する情報を受けつける受付部と、受付部において受けつけた情報の中から、第１選択部において選択した切りかえ後の基地局装置を識別するための情報に対応する情報を選択する第２選択部と、第２選択部において選択した情報を使用しつつ、第２選択部において選択した情報に対応した基地局装置から、通信部によって受信される信号の強度を測定する測定部と、を備える。
【０００６】
この態様によると、切りかえの候補となる基地局装置に関する情報のうち、記憶部に記憶された情報に対応する情報が選択され、選択された情報にもとづいて、信号の強度を測定するので、信号の強度を測定すべき基地局装置の数を低減でき、消費電力を低減できる。
【０００７】
通信部は、基地局装置から、所定の拡散符号によって拡散された信号を受信し、受付部において受けつけた情報は、切りかえの候補となる基地局装置における拡散符号に関する情報を含んでもよい。測定部は、第２選択部において選択した拡散符号を使用することによって、通信部によって受信される信号の強度を測定してもよい。この場合、拡散符号が通知されるので、拡散符号を特定するための処理を省略でき、信号の強度の測定を迅速に実行できる。
【０００８】
測定部において測定された信号の強度にしたがって、通信部が接続対象の基地局装置を切りかえる場合に、切りかえ前の基地局装置を識別するための情報と切りかえ後の基地局装置を識別するための情報の組み合わせを記憶部に記憶させる制御部をさらに備えてもよい。この場合、信号の強度を測定すべき基地局装置の選択に、過去になされた切りかえの結果を反映するので、切りかえの対象となる可能性の高い基地局装置の信号の強度を測定でき、測定対象の基地局装置の数を削減しても、切りかえの正確性の低下を抑制できる。
【０００９】
制御部は、記憶部に記憶された組み合わせにおいて、切りかえ前のひとつの基地局装置を識別するための情報に対して切りかえ後の複数の基地局装置を識別するための情報が存在する場合に、切りかえられる頻度に応じて組み合わせに順番を付け、測定部は、制御部によって付けられた順番にしたがって、通信部によって受信される信号の強度を測定してもよい。この場合、切りかえの対象となる可能性の高い基地局装置の信号の強度から測定するので、処理の効率を向上できる。
【００１０】
制御部は、限定された所定の期間において、記憶部に組み合わせを記憶させてもよい。この場合、記憶部の記憶容量を小さくできる。制御部において、所定の期間として、記憶の開始の時刻と記憶の終了の時刻とを予め規定しており、制御部は、記憶の開始の時刻になれば、記憶を開始させ、記憶の終了の時刻になれば、記憶を終了させてもよい。
【００１１】
「記憶の開始の時刻」と「記憶の終了の時刻」は、時刻によって規定されてもよいが、これに年、月、日付、曜日などのタイミングを特定できる別のパラメータを組み合わせて規定してもよい。例えば、曜日と組み合わせた場合は、「月曜日の午前９時」というように規定してもよい。
【００１２】
本発明の別の態様もまた、信号強度測定装置である。この装置は、接続対象の基地局装置を切りかえながら、少なくともひとつの基地局装置に接続する通信部と、通信部を介して、現在接続している基地局装置から、切りかえの候補となる基地局装置に関する情報を受けつける受付部と、受付部において受けつけた情報を記憶する記憶部と、切りかえの候補となる基地局装置に関する情報にもとづいて、切りかえの候補となる基地局装置から、通信部によって受信される信号の強度を測定する測定部とを備える。受付部と記憶部は、限定された所定の期間において、動作し、受付部は、所定の期間以外の期間において、記憶部に記憶された情報が現在接続している基地局装置に対応していれば、動作せず、記憶部に記憶された情報が現在接続している基地局装置に対応していなければ、動作することによって受けつけた情報を測定部に出力し、記憶部は、所定の期間以外の期間において、記憶した情報が現在接続している基地局装置に対応していれば、当該情報を測定部に出力する。
【００１３】
この態様によると、情報を記憶部に記憶する期間を限定するので、記憶部の記憶容量を小さくしつつ、情報を受けつけない期間も発生するので、消費電力を低減できる。
【００１４】
本発明のさらに別の態様は、信号強度測定方法である。この方法は、切りかえ前の基地局装置を識別するための情報と切りかえ後の基地局装置を識別するための情報を対応づけながら、それらの組み合わせを予め記憶しており、現在接続している基地局装置から、切りかえの候補となる基地局装置に関する情報を受けつけると、現在接続している基地局装置を識別するための情報を切りかえ前の基地局装置を識別するための情報に対応させることによって、組み合わせの中から、現在接続している基地局装置に対応すべき切りかえ後の基地局装置を識別するための情報を選択し、受けつけた情報の中から、選択した切りかえ後の基地局装置を識別するための情報に対応する情報を選択し、選択した情報を使用しつつ、選択した情報に対応した基地局装置から受信される信号の強度を測定する。
【００１５】
本発明のさらに別の態様もまた、信号強度測定方法である。この方法は、限定された所定の期間において、現在接続している基地局装置から、切りかえの候補となる基地局装置に関する情報を受けつけ、受けつけた情報をメモリに記憶しつつ、受けつけた情報にもとづいて、切りかえの候補となる基地局装置から受信される信号の強度を測定し、所定の期間以外の期間において、メモリに記憶した情報が現在接続している基地局装置に対応していれば、当該情報にもとづいて、切りかえの候補となる基地局装置から受信される信号の強度を測定し、所定の期間以外の期間において、メモリに記憶した情報が現在接続している基地局装置に対応していなければ、現在接続している基地局装置から、切りかえの候補となる基地局装置に関する情報を受けつけ、受けつけた情報にもとづいて、切りかえの候補となる基地局装置から受信される信号の強度を測定する。
【００１６】
本発明のさらに別の態様もまた、信号強度測定方法である。この方法は、接続対象の基地局装置を切りかえながら、少なくともひとつの基地局装置に接続するステップと、切りかえ前の基地局装置を識別するための情報と切りかえ後の基地局装置を識別するための情報を対応づけながら、それらの組み合わせがメモリに記憶されており、現在接続している基地局装置を識別するための情報を切りかえ前の基地局装置を識別するための情報に対応させることによって、メモリに記憶された組み合わせの中から、現在接続している基地局装置を識別するための情報に対応すべき切りかえ後の基地局装置を識別するための情報を選択するステップと、現在接続している基地局装置から、切りかえの候補となる基地局装置に関する情報を受けつけるステップと、受けつけた情報の中から、選択した切りかえ後の基地局装置を識別するための情報に対応する情報を選択するステップと、選択した切りかえ後の基地局装置を識別するための情報に対応する情報を選択するステップにおいて、選択した情報を使用しつつ、選択した切りかえ後の基地局装置を識別するための情報に対応する情報を選択するステップにおいて、選択した情報に対応した基地局装置から、受信される信号の強度を測定するステップと、を備える。
【００１７】
接続するステップは、基地局装置から、所定の拡散符号によって拡散された信号を受信し、受けつけるステップにおいて受けつけた情報は、切りかえの候補となる基地局装置における拡散符号に関する情報を含み、測定するステップは、選択した切りかえ後の基地局装置を識別するための情報に対応する情報を選択するステップにおいて選択した拡散符号を使用することによって、受信される信号の強度を測定してもよい。測定するステップにおいて測定された信号の強度にしたがって、接続するステップが接続対象の基地局装置を切りかえる場合に、切りかえ前の基地局装置を識別するための情報と切りかえ後の基地局装置を識別するための情報の組み合わせをメモリに記憶させるステップをさらに備えてもよい。記憶させるステップは、メモリに記憶された組み合わせにおいて、切りかえ前のひとつの基地局装置を識別するための情報に対して切りかえ後の複数の基地局装置を識別するための情報が存在する場合に、切りかえられる頻度に応じて組み合わせに順番を付け、測定するステップは、記憶させるステップによって付けられた順番にしたがって、受信される信号の強度を測定してもよい。
【００１８】
記憶させるステップは、限定された所定の期間において、メモリに組み合わせを記憶させてもよい。記憶させるステップにおいて、所定の期間として、記憶の開始の時刻と記憶の終了の時刻とを予め規定しており、記憶させるステップは、記憶の開始の時刻になれば、記憶を開始させ、記憶の終了の時刻になれば、記憶を終了させてもよい。記憶させるステップにおいて、所定の期間として、記憶を開始すべき基地局装置を識別するための第１の情報と、記憶を終了すべき基地局装置を識別するための第２の情報とを予め規定しており、記憶させるステップは、切りかえられる基地局装置が第１の情報に対応する場合に、記憶を開始させ、切りかえられる基地局装置が第２の情報に対応する場合に、記憶を終了させてもよい。
【００１９】
本発明のさらに別の態様もまた、信号強度測定方法である。この方法は、接続対象の基地局装置を切りかえながら、少なくともひとつの基地局装置に接続するステップと、現在接続している基地局装置から、切りかえの候補となる基地局装置に関する情報を受けつけるステップと、受けつけた情報をメモリに記憶するステップと、切りかえの候補となる基地局装置に関する情報にもとづいて、切りかえの候補となる基地局装置から、受信される信号の強度を測定するステップとを備える。受けつけるステップと記憶するステップは、限定された所定の期間において、動作し、受けつけるステップは、所定の期間以外の期間において、メモリに記憶された情報が現在接続している基地局装置に対応していれば、動作せず、メモリに記憶された情報が現在接続している基地局装置に対応していなければ、動作することによって受けつけた情報を測定するステップに出力し、所定の期間以外の期間において、メモリに記憶した情報が現在接続している基地局装置に対応していれば、当該情報を測定するステップに出力する。
【００２０】
受けつけるステップと記憶するステップにおいて、所定の期間として、記憶の開始の時刻と記憶の終了の時刻とを予め規定しており、受けつけるステップと記憶するステップは、記憶の開始の時刻から、記憶の終了の時刻までを所定の期間として動作してもよい。受けつけるステップと記憶するステップにおいて、所定の期間として、記憶を開始すべき基地局装置を識別するための第１の情報と、記憶を終了すべき基地局装置を識別するための第２の情報とを予め規定しており、受けつけるステップと記憶するステップは、切りかえられる基地局装置が第１の情報に対応する場合から、切りかえられる基地局装置が第２の情報に対応する場合までを所定の期間として動作してもよい。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、基地局装置から受信された信号の強度を測定する際の消費電力を低減できる。
【発明を実施するための最良の形態】
【００２３】
（実施例１）
本発明を具体的に説明する前に、概要を述べる。本発明の実施例１は、Ｗ−ＣＤＭＡ方式に対応した端末装置に関する。複数の基地局装置は面的に配置されており、それぞれの基地局装置はセルを形成している。ユーザによって所有された端末装置は、移動しながら、複数の基地局装置のいずれかに接続される。そのとき、接続対象の基地局装置は、切りかえられる。端末装置がひとつの基地局装置に接続されているとき、端末装置は、当該基地局装置からのページング信号を受信する。ページング信号には、周辺の基地局装置に関する情報が含まれている。ここで、周辺の基地局装置に関する情報は、少なくとも周辺の基地局装置の拡散符号、特にスクランブルコードに関する情報を含む。拡散符号は、基地局装置からのパイロット信号に対して設定されているものであるが、基地局装置を単位にして異なった拡散符号が設定されている。
【００２４】
端末装置は、切りかえ前の基地局装置を識別するための情報と切りかえ後の基地局装置を識別するための情報との組み合わせを予め記憶している。この組み合わせは、端末装置の過去の実績にもとづいて生成されたものであり、端末装置の移動の履歴ともいえる。例えば、第１基地局装置からの切りかえ先は、第２基地局装置と第３基地局装置であるように示される。端末装置は、現在接続している基地局装置から、前述の周辺の基地局装置に関する情報を受信したとき、予め記憶した組み合わせにもとづいて、切りかえ後の基地局装置になるべき基地局装置の拡散符号を選択する。すなわち、周辺の基地局装置の中から、過去に移動した実績のある基地局装置を選択する。端末装置は、選択した基地局装置からのパイロット信号の強度を測定して、切りかえ先の基地局装置を決定する。
【００２５】
図１は、本発明の実施例１に係る通信システム１００の構成を示す。通信システム１００は、端末装置１０、基地局装置１２と総称される第１基地局装置１２ａ、第２基地局装置１２ｂ、第３基地局装置１２ｃ、第４基地局装置１２ｄ、第５基地局装置１２ｅ、第６基地局装置１２ｆ、セル１４と総称される第１セル１４ａ、第２セル１４ｂ、第３セル１４ｃ、第４セル１４ｄ、第５セル１４ｅ、第６セル１４ｆを含む。
【００２６】
基地局装置１２は、一端に無線通信機能を備え、他端に有線通信機能を備える。基地局装置１２の有線通信機能は、図示しないネットワークと接続されており、ネットワークとの通信動作を実行する。また、基地局装置１２の無線通信機能は、端末装置１０との間の通信動作を実行する。ここで、無線通信は、Ｗ−ＣＤＭＡ方式に対応しているものとする。基地局装置１２は、端末装置１０との通信を実行するために、端末装置１０に対して個別チャネルを設定する。また、端末装置１０が、複数の基地局装置１２のいずれかへの接続先の切りかえを可能にするために、基地局装置１２は、パイロット信号と、ページング信号を送信する。
【００２７】
パイロット信号は、基地局装置１２に信号強度を測定させるための信号であり、基地局装置１２を単位にして、異なった拡散符号、特にスクランブルコードを有している。また、ページング信号は、端末装置１０に所定の情報を通知するための信号であり、特にここでは、周辺の基地局装置１２の情報を通知する。周辺の基地局装置１２の情報には、周辺の基地局装置１２のパイロット信号での拡散符号の種類、拡散符号のタイミング差の情報が少なくとも含まれる。なお、基地局装置１２は、セル１４を形成しており、端末装置１０は、セル１４の中において、当該セル１４を形成する基地局装置１２に接続できる。また、複数のセル１４の重複部分では、端末装置１０は、複数の基地局装置１２に接続可能である。
【００２８】
端末装置１０は、ユーザによって使用され、かつ基地局装置１２のいずれかと接続する。端末装置は、セル１４の中を移動しながら、接続対象の基地局装置１２を切りかえる。当該切りかえは、基本的にパイロット信号の強度にもとづいてなされ、強度の大きいパイロット信号に対応した基地局装置１２を選択するように実行される。図では、端末装置１０が第１セル１４ａから第２セル１４ｂの方向に移動する。端末装置１０が第１セル１４ａに存在するとき、端末装置１０では、第１基地局装置１２ａからのパイロット信号の強度が大きくなる。その結果、端末装置１０は、第１基地局装置１２ａを選択して、第１基地局装置１２ａに接続する。
【００２９】
一方、端末装置１０が移動して、第２セル１４ｂに存在するとき、端末装置１０では、第２基地局装置１２ｂからのパイロット信号の強度が大きくなる。その結果、端末装置１０は、第２基地局装置１２ｂを選択して、第２基地局装置１２ｂに接続する。また、端末装置１０を所有するユーザは、セル１４間を移動するが、一般的に、セル１４間をランダムに移動するのではなく、ある程度定められた経路を移動する傾向にある。例えば、第１セル１４ａ、第２セル１４ｂ、第６セル１４ｆの順に移動する。さらに、Ｗ−ＣＤＭＡ方式において、端末装置１０は、サイトダイバーシチを実行するが、ここでは、説明の明瞭化のために、端末装置１０はひとつの基地局装置１２に接続されるものとする。サイトダイバーシチへの適用は、ひとつの基地局装置１２に対して説明する部分を複数の基地局装置１２にすればよい。
【００３０】
図２は、端末装置１０の構成を示す。端末装置１０は、アンテナ２０、通信部２２、処理部２４、受付部２６、測定部２８、制御部３０、記憶部３２、選択部３４を含む。また、通信部２２は、無線部３６、送信部３８、受信部４２を含み、受信部４２は、相関部４６を含む。
【００３１】
通信部２２は、接続対象の基地局装置１２を切りかえながら、少なくともひとつの基地局装置１２に接続する。無線部３６は、受信処理として、アンテナ２０において受信した無線周波数の信号をベースバンドの信号に周波数変換し、受信部４２に出力する。そのため、無線部３６は、図示しない周波数変換部、ＬＮＡ（Ｌｏｗ  Ｎｏｉｓｅ  Ａｍｐｌｉｆｉｅｒ）、直交検波器、ＡＤ変換器を備える。一方、無線部３６は、送信処理として、送信部３８から入力したベースバンドの信号を無線周波数の信号に周波数変換して、アンテナ２０に出力する。そのため、無線部３６は、図示しないＤＡ変換器、直交変調器、周波数変換部、ＰＡ（Ｐｏｗｅｒ  Ａｍｐｌｉｆｉｅｒ）を備える。なお、無線部３６は、基地局装置１２から、所定の拡散符号によって拡散された信号を受信する。当該信号には、前述の個別チャネルの信号、ページング信号、パイロット信号が含まれる。
【００３２】
送信部３８は、処理部２４からのデータを変調し、拡散する。さらに、送信部３８は、拡散した信号をベースバンドの信号として、無線部３６に出力する。ここで、変調および拡散は、Ｗ−ＣＤＭＡ方式に準拠しているものとする。
【００３３】
受信部４２は、無線部３６からのベースバンド信号を逆拡散し、復調する。さらに、受信部４２は、復調した信号を処理部２４に出力する。ここで、復調及び逆拡散は、Ｗ−ＣＤＭＡ方式に準拠しているものとする。なお、受信部４２は、相関部４６を含む。相関部４６は、マッチトフィルタやスライディング相関器によって構成されている。ここでは、マッチトフィルタについて説明する。マッチトフィルタのタップ係数には、拡散符号が設定されている。相関部４６に入力される信号の拡散符号が、タップ係数に近くなれば、相関部４６から出力される相関値が大きくなる。そのため、相関部４６を利用して、拡散符号の同期、タイミングの同期、信号強度の測定が実行可能である。ここでは、相関部４６を信号強度の測定のために使用するものとし、拡散符号の同期、タイミングの同期等は従来の技術によって実行可能であるので、説明を省略する。
【００３４】
処理部２４は、受信部４２から入力したデータに対して、所定の処理を施す。また、図示しないコンピュータ等が端末装置１０に接続されている場合には、処理部２４は、コンピュータとのインターフェースに相当する。特に、ここでは、現在接続している基地局装置１２からのページング信号が処理部２４に入力された場合に、処理部２４は、ページング信号を受付部２６に出力する。
【００３５】
受付部２６は、処理部２４からページング信号を受けつける。ページング信号は、周辺の基地局装置１２、すなわち切りかえの候補となる基地局装置１２に関する情報（以下、「ページング情報」という）を含む。ページング情報は、切りかえの候補となる基地局装置１２における拡散符号に関する情報を含み、具体的には、基地局装置１２の拡散符号の種類、タイミング誤差の情報を含む。図３は、受付部２６に入力されるページング情報のデータの構造を示す。ここで、端末装置１０が現在接続している端末装置１０は、第１端末装置１０ａであるとする。「基地局装置名」として、周辺の基地局装置１２に相当する「第１基地局装置」から「第Ｎ基地局装置」に関する情報が含まれている。各基地局装置に対する情報が、「拡散符号の種類」と「タイミング差」である。また、「拡散符号の種類」は、「Ａ１」等と示され、「タイミング差」は、「Ｂ１」等と示される。なお、ページング情報には、「基地局装置名」が含まれず、「拡散符号の種類」と「タイミング差」が含まれるという構成であってもよい。
【００３６】
ここで、拡散符号は、Ｗ−ＣＤＭＡ方式において、チャネライゼーションコードとスクランブルコードを含むように規定されている。端末装置１０が信号強度を測定するためのパイロット信号、Ｗ−ＣＤＭＡ方式におけるＣＰＩＣＨ（Ｃｏｍｍｏｎ  Ｐｉｌｏｔ  Ｃｈａｎｎｅｌ）では、基地局装置１２を単位にして、スクランブルコードが異なるように規定されている。すなわち、「拡散符号の種類」は、スクランブルコードの種類に相当し、この情報によって、パイロット信号のスクランブルコードが特定される。また、「タイミング差の情報」は、第１端末装置１０ａと周辺の端末装置１０とのＣＰＩＣＨスクランブルコードタイミング差の情報である。これらの情報によって、端末装置１０にとって、周辺の基地局装置１２のスクランブルコードの種類、及び端末装置１０でのＣＰＩＣＨの平均的な受信タイミングが既知となる。
【００３７】
図２に戻る。記憶部３２は、通信部２２における切りかえ前の基地局装置１２を識別するための情報と切りかえ後の基地局装置１２を識別するための情報を対応づけながら、それらの組み合わせを記憶する。ここで、切りかえ前の基地局装置１２を識別するための情報と切りかえ後の基地局装置１２を識別するための情報は、端末装置１０によって過去になされた基地局装置１２の切りかえにもとづくものとし、これらの組み合わせの生成についての説明は後述する。特に、記憶部３２に記憶された組み合わせは、過去における端末装置１０の移動の経路のうち、移動の頻度が高いものに相当する。また、識別するための情報は、基地局装置１２を特定するための情報であり、例えば、基地局装置１２に付与された識別番号や、基地局装置１２に割り当てられた拡散符号であり、その形式は任意ものでかまわない。なお、拡散符号は、パイロット信号に対する拡散符号である。図４は、記憶部３２に記憶されるデータの構造を示す。図中の「切りかえ前」と「切りかえ後」は、切りかえ前の基地局装置１２と切りかえ後の基地局装置１２にそれぞれ対応する。端末装置１０の移動によって、端末装置１０の接続対象となる基地局装置１２が、切りかえ前の基地局装置１２から切りかえ後の基地局装置１２に変更されることに相当する。
【００３８】
前述のごとく、端末装置１０が第１基地局装置１２ａに接続されているとき、第１基地局装置１２ａのページング信号によって、図３のごとく、「第２基地局装置」から「第Ｎ基地局装置」が通知されている。しかしながら、過去において、端末装置１０は、第１基地局装置１２ａから第２基地局装置１２ｂ、第１基地局装置１２ａから第３基地局装置１２ｃ、第１基地局装置１２ａから第４基地局装置１２ｄに切りかえを実行している場合に、切りかえが、これらのうちのいずれかになるようになされると予想できる。そのため、端末装置１０におけるパイロット信号の強度の測定が、第２基地局装置１２ｂ、第３基地局装置１２ｃ、第４基地局装置１２ｄに限定される。なお、図３では、記憶対象として、「第２基地局装置」等が示されているが、記憶部３２は、「第２基地局装置」に対応した識別番号や拡散符号を記憶しているものとする。また、「切りかえ後」の基地局装置１２の数は、所定の値に制限されてもよい。これにより、記憶部３２の記憶容量を削減できる。
【００３９】
図２に戻る。選択部３４は、端末装置１０が現在接続している基地局装置１２を識別するための情報を切りかえ前の基地局装置１２を識別するための情報に対応させることによって、記憶部３２に記憶された組み合わせの中から、通信部２２が現在接続している基地局装置１２を識別するための情報に対応すべき切りかえ後の基地局装置１２を識別するための情報を選択する。そのため、選択部３４は、処理部２４から受付部２６を介して、現在接続している基地局装置１２を識別するための情報、すなわち第１基地局装置１２ａの識別番号や拡散符号を受けつけている。例えば、基地局装置１２を識別するための情報が、基地局装置１２の拡散符号である場合、選択部３４は、記憶部３２に記憶された「切りかえ前」の欄中の第１基地局装置１２ａの拡散符号を検索し、該当すれば選択する。さらに、「切りかえ前」の第１基地局装置１２ａの拡散符号に対応した「切りかえ後」の基地局装置１２の拡散符号を選択する。すなわち、図４では、第２基地局装置１２ｂから第４基地局装置１２ｄの拡散符号を選択する。
【００４０】
選択部３４は、受付部２６において受けつけたページング情報の中から、前述のごとく選択した切りかえ後の基地局装置１２を識別するための情報に対応する情報を選択する。すなわち、ページング情報の中の一部の情報を選択する。これは、過去に端末装置１０が切りかえを行った実績のある基地局装置１２を選択する動作に相当する。図３では、「第２基地局装置」から「第Ｎ基地局装置」のうち、「第２基地局装置」から「第４基地局装置」の拡散符号とタイミング差を選択する。選択部３４は、選択した拡散符号を相関部４６に出力する。相関部４６では、選択部３４からの拡散符号をタップ係数として設定し、相関部４６は、選択部３４からのタイミング差にもとづくタイミングによって相関処理を実行して、相関値を測定部２８に出力する。ここで、相関処理の実行には、パイロット信号が入力される。
【００４１】
測定部２８は、相関部４６からの相関値の強度を計算する。すなわち、測定部２８は、選択部３４において選択した情報である拡散符号とタイミング差とを使用しつつ、選択部３４において選択した情報に対応した基地局装置１２から、受信されるパイロット信号の強度を測定する。なお、選択部３４において選択された情報が複数ある場合、それらに対応した拡散符号が、所定の間隔で受信部４２のタップ係数に設定される。その結果、測定部２８は、複数の情報にそれぞれ対応したパイロット信号の強度を計算する。
【００４２】
制御部３０は、測定部２８において測定されたパイロット信号の強度にしたがって、接続対象の基地局装置１２の切りかえを決定する。切りかえのアルゴリズムは、任意のものでかまわないが、例えば、測定部２８において測定された接続対象の第２基地局装置１２ｂから第４基地局装置１２ｄに対する信号強度のうちの最大値が、現在接続している第１基地局装置１２ａの信号強度に所定の値を付加した値よりも大きくなった場合に、最大値に対応した基地局装置１２への切りかえを決定する。例えば、第２基地局装置１２ｂの信号強度が大きければ、第２基地局装置１２ｂへの切りかえを決定する。なお、基地局装置１２の切りかえの処理は、Ｗ−ＣＤＭＡ方式での規定にしたがってなされればよいので、ここでは説明を省略する。所定の値の付加は、切りかえにヒステリシスを持たせるためになされる。
【００４３】
また、制御部３０は、測定部２８において測定されたパイロット信号の強度にしたがって、接続対象の基地局装置１２が切りかわる場合に、切りかえ前の基地局装置１２の識別番号と切りかえ後の基地局装置１２の識別番号の組み合わせを記憶部３２に記憶する。前述の例では、「切りかえ前」の第１基地局装置１２ａと「切りかえ後」の第２基地局装置１２ｂとの組み合わせを記憶する。なお、既に記憶部３２に記憶された組み合わせにおいて、切りかえ前のひとつの基地局装置１２を識別するための情報に対して、切りかえ後の複数の基地局装置１２を識別するための情報が存在する場合に、制御部３０は、切りかえられる頻度に応じて組み合わせに順番を付ける。頻度は、切りかえ回数に相当する。
【００４４】
図４においては、「切りかえ前」の第１基地局装置１２ａに対して、「切りかえ後」の第２基地局装置１２ｂ、第３基地局装置１２ｃ、第４基地局装置１２ｄが記憶されており、切りかえられた頻度が順に「１０００回」、「１００回」、「１０回」であったとする。このように、制御部３０は、切りかえ回数の多い順に、切りかえ後の基地局装置１２を並べる。これは、切りかえられる可能性が高い順であるといえる。以上の動作を実行するために、記憶部３２は、「切りかえ後」の基地局装置１２の情報に加えて、切りかえ回数を記憶していてもよい。その際、前述の測定部２８は、制御部３０によって付けられた順番にしたがって、受信されるパイロット信号の強度を測定する。そのため、相関部４６は、当該順番にしたがって、タップ係数に拡散符号を設定する。
【００４５】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４６】
以上の構成による通信システム１００の動作を説明する。図５は、通信システム１００における信号強度の測定手順を示すシーケンス図である。ここで、前述のごとく、端末装置１０は、第１基地局装置１２ａに接続しているものとする。第１基地局装置１２ａは、端末装置１０に対して、ページング信号を送信する（Ｓ１０）。端末装置１０は、ページング信号を受信し、その中に含まれたページング情報を取得する（Ｓ１２）。なお、ページング情報には、第１基地局装置１２ａから第Ｎ基地局装置１２ｎ−１を識別するための情報が含まれているとする。端末装置１０は、記憶部３２に記憶された組み合わせを参照しつつ、ページング情報に含まれた基地局装置１２の一部あるいは全部を選択する（Ｓ１４）。なお、ここでは、第２基地局装置１２ｂと第３基地局装置１２ｃが選択されたものとする。そのため、ページング情報に含まれた基地局装置１２の中の一部が選択されることに相当する。
【００４７】
第１基地局装置１２ａは、端末装置１０にパイロット信号を送信する（Ｓ１６）。端末装置１０は、第１基地局装置１２ａからのパイロット信号の強度を測定する（Ｓ１８）。第２基地局装置１２ｂは、端末装置１０にパイロット信号を送信する（Ｓ２０）。端末装置１０は、第２基地局装置１２ｂからのパイロット信号の強度を測定する（Ｓ２２）。第３基地局装置１２ｃは、端末装置１０にパイロット信号を送信する（Ｓ２４）。端末装置１０は、第３基地局装置１２ｃからのパイロット信号の強度を測定する（Ｓ２６）。以上の処理によって、ページング情報に含まれた基地局装置１２の中の一部の信号強度が測定される。
【００４８】
図６は、端末装置１０における基地局装置１２の切りかえ手順を示すフローチャートである。測定開始のタイミングが到来しなければ（Ｓ３０のＮ）、端末装置１０は、到来するまで処理を実行しない。これは、スリープ状態に相当する。測定開始のタイミングが到来すれば（Ｓ３０のＹ）、受信部４２は、接続中の基地局装置１２からのページング信号を受信し（Ｓ３２）、受付部２６は、ページング情報を受けつける。選択部３４は、記憶部３２を参照しつつ、測定対象の基地局装置１２を選択する（Ｓ３４）。相関部４６は、接続中の基地局装置１２に対する拡散符号をタップ係数に設定し、測定部２８は、接続中の基地局装置１２からのパイロット信号の強度を測定する（Ｓ３６）。また、相関部４６は、選択部３４によって選択された基地局装置１２に対する拡散符号をタップ係数に設定し、測定部２８は、当該基地局装置１２からのパイロット信号の強度を測定する（Ｓ３８）。
【００４９】
測定部２８において、選択部３４によって選択された基地局装置１２に対するパイロット信号の強度の測定が、すべて完了しなければ（Ｓ４０のＮ）、ステップ３８の処理が繰り返し実行される。一方、測定部２８において、選択部３４によって選択された基地局装置１２に対するパイロット信号の強度の測定が、すべて完了すれば（Ｓ４０のＹ）、制御部３０は、最大の強度を選択する（Ｓ４２）。制御部３０は、接続中の基地局装置１２からのパイロット信号の強度に所定の値を加算して、しきい値を生成する。制御部３０は、最大の強度としきい値を比較し、最大の強度がしきい値よりも大きければ（Ｓ４４のＹ）、最大の強度に対応した基地局装置１２への切りかえを決定する（Ｓ４６）。一方、制御部３０は、最大の強度がしきい値よりも大きくなければ（Ｓ４４のＮ）、接続中の基地局装置１２への接続を継続する。なお、信号の強度の測定がすべて完了した後に、ステップ４４の比較がなされるのではなく、ひとつの信号の強度の測定が完了した後に、ステップ４４の比較がなされてもよい。その際、ひとつの信号の強度がしきい値よりも大きくなれば、基地局装置１２の切りかえを決定してもよい。その結果、測定回数を低減できる。
【００５０】
図７は、制御部３０における組み合わせの記憶手順を示すフローチャートである。これは、図６のフローチャートに続く処理に相当する。制御部３０は、切りかえ前の基地局装置１２に対する拡散符号と切りかえ後の基地局装置１２に対する拡散符号とから、組み合わせを生成する（Ｓ５０）。制御部３０は、記憶部３２から、切りかえ前の基地局装置１２の拡散符号が、現在と同一である組み合わせを抽出し（Ｓ５２）、抽出した組み合わせに生成した組み合わせを加える（Ｓ５４）。なお、生成した組み合わせが、抽出した組み合わせに存在していれば、当該組み合わせの回数に「１」を加える。すなわち、切りかえ回数をカウントアップする。
【００５１】
以上の処理の結果、複数の組み合わせにそれぞれ対応した切りかえ回数の順番が変更になれば（Ｓ５６のＹ）、制御部３０は、記憶部３２の記憶内容の順番を切りかえる（Ｓ５８）。例えば、「切りかえ前」の基地局装置１２と「切りかえ後」の基地局装置１２との組み合わせが、第１基地局装置１２ａと第２基地局装置１２ｂ、第１基地局装置１２ａと第３基地局装置１２ｃであり、前者の方が切りかえ回数の順番が多かったとする。その後、後者の切りかえ回数が増加し、前者よりも多くなった場合に、制御部３０は、後者が前になるように記憶部３２に記憶させる。すなわち、両者の順番を入れ替える。一方、複数の組み合わせにそれぞれ対応した切りかえ回数の順番が変更にならなければ（Ｓ５６のＮ）、処理を終了する。
【００５２】
図８（ａ）−（ｂ）は、端末装置１０による低消費電力化の効果を示す。端末装置１０は、低消費電力モードによる動作を行っており、通信を実行せずに、定期的に基地局装置１２からの信号を受信しているものとする。また、端末装置１０は、第１端末装置１０ａに接続されているものとする。図８（ａ）は、本実施例の比較対象となる従来の端末装置における動作を示す。図中の「Ｐ」は、端末装置１０がページング信号を受信していることを示す。また、パイロット情報に含まれた基地局装置１２の情報は、第１基地局装置１２ａから第４基地局装置１２ｄに対応する。図中の「Ａ」は、端末装置１０が第１基地局装置１２ａからのパイロット信号を受信していることを示し、「Ｂ」は、端末装置１０が第２基地局装置１２ｂからのパイロット信号を受信していることを示し、「Ｃ」は、端末装置１０が第３基地局装置１２ｃからのパイロット信号を受信していることを示し、「Ｄ」は、端末装置１０が第４基地局装置１２ｄからのパイロット信号を受信していることを示す。
【００５３】
図示のごとく、定期的に端末装置１０は起動し、「Ｐ」、「Ａ」、「Ｂ」、「Ｃ」、「Ｄ」の順に動作を実行し、それに対応した電流が流れる。また、電流値に応じた電力が消費される。図８（ｂ）は、本実施例の端末装置１０における動作を示す。ここで、過去の実績から記憶部３２には、第１基地局装置１２ａから第２基地局装置１２ｂへの切りかえだけが記憶されているものとし、その結果、端末装置１０は、「Ｐ」、「Ａ」、「Ｂ」の順に動作を実行する。図８（ａ）と比較すると、図８（ｂ）では、「Ｃ」、「Ｄ」の期間において、電力が消費されない。すなわち、この期間に応じた値だけ、電力の消費が低減される。
【００５４】
これまでの実施例において、記憶部３２が切りかえ前の基地局装置１２と切りかえ後の基地局装置１２との組み合わせを記憶することによって、パイロット信号の強度の測定期間を短くしていた。記憶部３２に記憶すべき組み合わせの数が増加すれば、記憶部３２の記憶容量も大きくしなければならない。しかしながら、端末装置１０に備えられる記憶部３２の記憶容量には、限度がある。そこで、記憶部３２に記憶すべき組み合わせの数を制限する技術を以下に説明する。
【００５５】
記憶部３２に記憶すべき組み合わせの数を制限する技術のひとつは、時刻によって制限する技術である。すなわち、制御部３０は、限定された所定の期間において、記憶部３２に組み合わせを記憶させる。制御部３０は、このような所定の期間として、記憶の開始の時刻と記憶の終了の時刻とを予め規定している。制御部３０は、記憶の開始の時刻になれば、記憶部３２に記憶を開始させ、記憶の終了の時刻になれば、記憶部３２記憶を終了させる。例えば、制御部３０において、記憶の開始の時刻が「午前７時」に規定され、記憶の終了の時刻が「午前８時」に規定されていれば、制御部３０は、「午前７時」から「午前８時」間での間にわたって、記憶部３２に組み合わせを記憶させる。このような設定は、図示しないインターフェースを介して、ユーザによってなされる。
【００５６】
図９は、制御部３０による記憶期間の決定の処理を示すフローチャートである。開始の時刻が到来しなければ（Ｓ６０のＮ）、制御部３０は、到来するまで記憶部３２に組み合わせを記憶しない。一方、開始の時刻が到来すれば（Ｓ６０のＹ）、制御部３０は、記憶部３２に組み合わせを記憶する（Ｓ６２）。終了の時刻が到来しなければ（Ｓ６４のＮ）、ステップ６２の処理を繰り返し実行する。一方、終了の時刻が到来すれば（Ｓ６４のＹ）、制御部３０は、組み合わせの記憶の処理を終了する。
【００５７】
記憶部３２に記憶すべき組み合わせの数を制限する技術の別のひとつは、接続した基地局装置によって制限する技術である。制御部３０は、記憶を開始すべき基地局装置１２に対応した第１の拡散符号と、記憶を終了すべき基地局装置１２に対応した第２の拡散符号とを予め規定している。制御部３０は、切りかえられる基地局装置１２が第１の拡散符号に対応する場合に、記憶部３２に記憶を開始させ、切りかえられる基地局装置１２が第２の拡散符号に対応する場合に、記憶部３２に記憶を終了させる。例えば、制御部３０において、記憶を開始すべき基地局装置１２が「自宅近辺に設置された基地局装置１２」に規定され、記憶の終了を終了すべき基地局装置１２が「学校近辺に設置された基地局装置１２」に規定されていれば、制御部３０は、ユーザが自宅を出発してから学校に到着するまでの期間にわたって、記憶部３２に組み合わせを記憶させる。
【００５８】
図１０は、制御部３０による記憶期間の決定の別の処理を示すフローチャートである。開始に対応した基地局装置１２に接続しなければ（Ｓ７０のＮ）、制御部３０は、接続するまで記憶部３２に組み合わせを記憶しない。一方、開始に対応した基地局装置１２に接続すれば（Ｓ７０のＹ）、制御部３０は、記憶部３２に組み合わせを記憶する（Ｓ７２）。終了に対応した基地局装置１２に接続しなければ（Ｓ７４のＮ）、ステップ７２の処理を繰り返し実行する。一方、終了に対応した基地局装置１２に接続すれば（Ｓ７４のＹ）、制御部３０は、組み合わせの記憶の処理を終了する。
【００５９】
本発明の実施例によれば、切りかえの候補となる基地局装置に関する情報のうち、記憶部に記憶された組み合わせに対応する情報が選択され、選択された情報にもとづいて、信号の強度を測定するので、信号の強度を測定すべき基地局装置の数を低減でき、消費電力を低減できる。また、記憶部に記憶された組み合わせは、過去に実績にもとづいているので、信号の強度を測定すべき基地局装置の数を低減しても、切りかえられる可能性の高い基地局装置からの信号の強度を測定できる。また、消費電力を低減できるので、バッテリーに駆動時間を長くできる。また、消費電力を低減できるので、端末装置を小型化できる。
【００６０】
また、拡散符号が基地局装置から通知されるので、拡散符号を特定するための処理を省略でき、信号の強度の測定を迅速に実行できる。また、拡散符号が基地局装置から通知されるので、信号の強度を測定する際に拡散符号の誤りを回避できる。また、拡散符号を特定するための処理を省略できるので、消費電力を低減できる。また、信号の強度を測定すべき基地局装置の選択に、過去になされた切りかえの結果を反映するので、切りかえの対象となる可能性の高い基地局装置の信号の強度を測定でき、測定対象の基地局装置の数を削減しても、切りかえの正確性の低下を抑制できる。また、切りかえの対象となる基地局装置が複数ある場合、切りかえの対象となる可能性の高い基地局装置の信号の強度から測定するので、処理の効率を向上できる。
【００６１】
また、ひとつの基地局装置が、切りかえの条件を満たしたときに切りかえを実行するようにすれば、切りかえの対象となる可能性の高い基地局装置の信号の強度から測定することによって、測定回数を低減できる。また、測定回数の低減によって、消費電力も低減できる。また、記憶部に組み合わせを記憶する期間を限定することによって、記憶部の記憶容量を小さくできる。また、所定の期間の限定が、時刻によってなされれば、所定の時刻において所定の行動をする場合に、記憶部に記憶する組み合わせの精度が高くなる。また、時刻を設定する際に、他のタイミングを規定するパラメータを組み合わせることによって、別の日の同一時刻に同一の行動を行う場合、記憶部に記憶した組み合わせの精度が高くなる。また、所定の期間の限定が、基地局装置によってなされれば、所定の位置から出発して、所定の位置に到着するような行動を定期的に実行する場合に、記憶部に記憶する組み合わせの精度が高くなる。
【００６２】
（実施例２）
本発明の実施例２は、実施例１と同様に、Ｗ−ＣＤＭＡ方式に対応した端末装置に関する。実施例２に係る端末装置は、基地局装置からのページング信号を受信し、ページング信号に含まれた周辺の基地局装置に関する情報をメモリに記憶する。しかしながら、メモリに記憶する期間が限定されている。当該期間以外の期間では、メモリへの記憶がなされない。さらに、メモリに記憶された情報が、現在接続している基地局装置に対応すれば、ページング信号を受信せずに、メモリに記憶された情報を使用する。その結果、メモリに記憶すべき情報の情報量を低減できつつ、ページング信号の受信を中止する場合もあるので、消費電力を低減できる。
【００６３】
実施例２に係る通信システム１００は、図１に示されるタイプである。ここで、端末装置１０は、所定の期間にわたって、ページング信号を受信し、受信したページング信号に含まれたページング情報を記憶する。一方、所定の期間以外の期間にわたって、端末装置１０は、記憶した情報が接続中の基地局装置１２に対応すれば、ページング信号の受信を中止する。さらに、端末装置１０は、記憶した情報を使用しながら、基地局装置１２からのパイロット信号の強度を測定する。端末装置１０は、記憶した情報が接続中の基地局装置１２に対応しなければ、ページング信号を受信し、受信したページング信号に含まれたページング情報を使用しながら、基地局装置１２からのパイロット信号の強度を測定する。
【００６４】
実施例２に係る端末装置１０は、図２に示されるタイプである。ここで、受付部２６と記憶部３２において、所定の期間として、記憶の開始の時刻と記憶の終了の時刻とが、予め規定されている。すなわち、受付部２６と記憶部３２は、記憶の開始の時刻から、記憶の終了の時刻までを所定の期間として動作する。このように、時刻によって所定の期間が制限される。なお、「記憶の開始の時刻」と「記憶の終了の時刻」とは、前述の通りであるので、説明を省略する。このような、所定の期間の制御は、制御部３０によってなされる。なお、制御部３０は、実施例１のとおり、基地局装置１２を切りかえる処理も実行するが、ここでは説明を省略する。
【００６５】
受付部２６は、所定の期間にわたって、処理部２４からページング信号を受けつける。一方、所定の期間以外の期間では、受付部２６は、所定の条件において、処理部２４からページング信号を受けつけず、所定の条件に該当しなければ、処理部２４からページング信号を受ける。なお、所定の条件については、後述する。ここで、処理部２４からページング信号を受けつけないとき、端末装置１０は、ページング信号の受信を中止する。
【００６６】
記憶部３２は、受付部２６において受けつけた情報を記憶する。受付部２６において受けつけた情報は、図示しない信号線によって記憶部３２まで伝送される。その際、制御部３０からの制御によって、記憶部３２は、所定の期間にわたって記憶を実行する。所定の期間でなければ、記憶部３２は、記憶を実行しない。ここで、記憶部３２によって記憶される情報は、図３のごとく示される。
【００６７】
選択部３４は、所定の期間において、受付部２６において受けつけた情報を相関部４６等に出力する。特に、選択部３４は、拡散符号やタイミング差を相関部４６に出力する。一方、所定の期間以外の期間において、選択部３４は、受付部２６から、現在接続している基地局装置１２を識別するための情報、例えば、拡散符号を入力する。選択部３４は、記憶部３２を参照して、現在接続している基地局装置１２に対応した情報が含まれていれば、記憶部３２に記憶された情報を相関部４６等に出力する。その際、受付部２６は、ページング信号の受信を中止する。すなわち、現在接続している基地局装置１２に対応した情報が記憶部３２に含まれていることが、前述の「所定の条件」に該当する。一方、記憶部３２を参照して、現在接続している基地局装置１２に対応した情報が含まれていなければ、受付部２６において受けつけた情報を相関部４６等に出力する。
【００６８】
相関部４６では、選択部３４からの拡散符号をタップ係数として設定し、相関部４６は、選択部３４からのタイミング差にもとづくタイミングによって相関処理を実行して、相関値を測定部２８に出力する。ここで、相関処理の実行には、パイロット信号が入力される。
【００６９】
なお、実施例１と同様に、端末装置１０は、所定の期間として、記憶を開始すべき基地局装置１２に対応した第１の拡散符号と、記憶を終了すべき基地局装置１２に対応した第２の拡散符号とを予め規定してもよい。すなわち、接続した基地局装置によって所定の期間が制限されてもよい。この場合、受付部２６と記憶部３２は、通信部２２によって切りかえられる基地局装置１２が第１の拡散符号に対応する場合から、通信部２２によって切りかえられる基地局装置１２が第２の拡散符号に対応する場合までを所定の期間として規定する。
【００７０】
実施例２に係る端末装置１０における低消費電力の効果は、図８（ａ）によって示される。ここで、受付部２６がページング信号を受けつけない場合は、図８（ａ）の「Ｐ」の期間において、動作を実行しない。そのため、「Ｐ」の期間において電流が流れず、電力の消費が、低減される。
【００７１】
本発明の実施例によれば、ページング情報を記憶部に記憶する期間を限定するので、記憶部の記憶容量を小さくできる。また、ページング情報を受けつけない期間も発生するので、消費電力を低減できる。また、所定の期間の限定が、時刻によってなされれば、所定の時刻において所定の行動をする場合に、記憶部に記憶するページング情報の精度が高くなる。また、時刻を設定する際に、他のタイミングを規定するパラメータを組み合わせることによって、別の日の同一時刻に同一の行動を行う場合、記憶部に記憶したページング情報の精度が高くなる。また、所定の期間の限定が、基地局装置によってなされれば、所定の位置から出発して、所定の位置に到着するような行動を定期的に実行する場合に、記憶部に記憶するページング情報の精度が高くなる。
【００７２】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００７３】
本発明の実施例１と２において、通信システム１００は、Ｗ−ＣＤＭＡ方式であるとした。しかしながらこれに限らず例えば、通信システム１００が、Ｗ−ＣＤＭＡ以外であってもよい。特に、ＣＤＭＡ方式でない場合に、基地局装置１２を識別するための情報として、基地局装置１２の識別番号が使用されてもよい。本変形例によれば、さまざまな通信システム１００に本発明を適用できる。つまり、基地局装置１２が周辺の基地局装置１２に関する情報を報知していればよい。
【００７４】
本発明の実施例１と２において、基地局装置１２が周辺の基地局装置１２に関する情報を報知するためにページング信号を使用し、端末装置１０が信号の強度を測定するためにパイロット信号を使用した。しかしながらこれに限らず例えば、それ以外の信号であってもよく、適用される通信システム１００に備えられた信号であって、同様の機能を有した信号であってもよい。本変形例によれば、さまざまな通信システム１００に本発明を適用できる。つまり、基地局装置１２が周辺の基地局装置１２に関する情報できる信号や、端末装置１０が強度を測定できる信号であればよい。
【００７５】
本発明の実施例１と２において、記憶部３２が組み合わせやページング情報を記憶する期間は、時刻や基地局装置１２によって限定されていた。しかしながらこれに限らず例えば、端末装置１０は、非接触型ＩＣ機能部を備えており、非接触型ＩＣ機能部において認識すべき位置によって所定の期間を規定してもよい。すなわち、制御部３０、受付部２６、記憶部３２等において、所定の期間として、記憶を開始すべき非接触型ＩＣ読取装置と、記憶を終了すべき非接触型ＩＣ読取装置を規定しており、制御部３０、受付部２６、記憶部３２等は、非接触型ＩＣ機能部が記憶を開始すべき非接触型ＩＣ読取装置に接触される場合に、記憶を開始させ、非接触型ＩＣ機能部が記憶を終了すべき非接触型ＩＣ読取装置に接触される場合に、記憶を終了させればよい。例えば、端末装置１０は、駅に非接触型ＩＣ読取装置が備えられている場合に、所定の駅から記憶を開始し、所定の駅において記憶を終了する。本変形例によれば、所定の非接触型ＩＣ読取装置が備えられた位置から出発して、所定の非接触型ＩＣ読取装置が備えられた位置に到着するような行動を定期的に実行する場合に、記憶部に記憶するページング情報の精度が高くなる。つまり、記憶の実行を限定できればよい。
【００７６】
本発明の実施例１と２において、記憶部３２が組み合わせやページング情報を記憶する期間は、時刻や基地局装置１２によって限定されていた。しかしながらこれに限らず例えば、端末装置１０は、所定のアクションによって所定の期間を規定してもよい。ここで、所定のアクションとは、特定のアプリケーション、例えば電子メールの起動である。すなわち、制御部３０、受付部２６、記憶部３２等において、所定の期間として、所定のアプリケーションの開始タイミングと、所定のアプリケーションの終了タイミングを規定しており、制御部３０、受付部２６、記憶部３２等は、所定のアプリケーションの開始タイミングに該当する場合に、記憶を開始させ、所定のアプリケーションの終了タイミングに該当する場合に、記憶を終了させればよい。例えば、端末装置１０は、電子メールのアプリケーションを起動する際に記憶を開始し、電子メールのアプリケーションを終了する際に記憶を終了する。本変形例によれば、所定の位置において、所定のアプリケーションの起動を定期的に実行する場合に、記憶部に記憶するページング情報の精度が高くなる。つまり、記憶の実行を限定できればよい。
【図面の簡単な説明】
【００７７】
【図１】本発明の実施例１に係る通信システムの構成を示す図である。
【図２】図１の端末装置の構成を示す図である。
【図３】図２の受付部に入力されるデータの構造を示す図である。
【図４】図２の記憶部に記憶されるデータの構造を示す図である。
【図５】図１の通信システムにおける信号強度の測定手順を示すシーケンス図である。
【図６】図２の端末装置における基地局装置の切りかえ手順を示すフローチャートである。
【図７】図２の制御部における組み合わせの記憶手順を示すフローチャートである。
【図８】図８（ａ）−（ｂ）は、図２の端末装置による低消費電力化の効果を示す図である。
【図９】図２の制御部による記憶期間の決定の処理を示すフローチャートである。
【図１０】図２の制御部による記憶期間の決定の別の処理を示すフローチャートである。
【符号の説明】
【００７８】
１０  端末装置、  １２  基地局装置、  １４  セル、  ２０  アンテナ、  ２２  通信部、  ２４  処理部、  ２６  受付部、  ２８  測定部、  ３０  制御部、  ３２  記憶部、  ３４  選択部、  ３６  無線部、  ３８  送信部、  ４２  受信部、  ４６  相関部、  １００  通信システム。
【図１】
2006115049.tif 000003
【図２】
2006115049.tif 000004
【図３】
2006115049.tif 000005
【図４】
2006115049.tif 000006
【図５】
2006115049.tif 000007
【図６】
2006115049.tif 000008
【図７】
2006115049.tif 000009
【図８】
2006115049.tif 000010
【図９】
2006115049.tif 000011
【図１０】
2006115049.tif 000012